(57)【特許請求の範囲】
【請求項１】
カテーテル固定用手当用品であって、
上部と、所望のカテーテル部位に位置決めされ、カテーテル装置が挿入される進入口を含む下部とを含む本体と、
前記カテーテル固定用手当用品を皮膚に接着させるように構成される第１の接着剤層と、
前記上部を前記下部に接着させるように構成される第２の接着剤層と、を含み、
前記第２の接着剤層は、前記下部の表面と前記進入口に挿入されたカテーテル装置の少なくとも一部とに接触し、それによって折り重ねた構成で前記上部を前記下部に接着するとともに該上部と該下部との間で所定位置に前記進入口に挿入された前記カテーテル装置を固定するカテーテル固定用手当用品。
【請求項２】
前記第１の接着剤層および第２の接着剤層のうちの少なくとも一方を覆う剥離裏地をさらに含む請求項１に記載の手当用品。
【請求項３】
前記剥離裏地は、前記第２の接着剤層を覆う請求項２に記載の手当用品。
【請求項４】
前記剥離裏地は、リリースタブを含む請求項２に記載の手当用品。
【請求項５】
前記第１の接着剤層は、前記下部の表面にある請求項１に記載の手当用品。
【請求項６】
前記第２の接着剤層は、前記上部の表面にある請求項１に記載の手当用品。
【請求項７】
折り線をさらに含む請求項１に記載の手当用品。
【請求項８】
前記第１の接着剤層および第２の接着剤層のうちの少なくとも一方は、抗菌剤を含む請求項１に記載の手当用品。
【請求項９】
カテーテル固定用手当用品であって、
上面および下面を含む手当用品層と、
前記手当用品層内に形成され、所望のカテーテル部位に位置決めされ、カテーテル装置が挿入される進入口と、
前記下面の少なくとも一部分における第１の接着剤層と、
前記上面の少なくとも一部分における第２の接着剤層と、を含み、
前記第２の接着剤層は、前記下面と前記進入口に挿入されたカテーテル装置の少なくとも一部とに接触し、それによって折り重ねた構成で前記上面を前記下面に接着するとともに該上面と該下面との間で所定位置に前記進入口に挿入された前記カテーテル装置を固定する手当用品。
【請求項１０】
前記第２の接着剤層を覆う取外し可能な剥離裏地をさらに含む請求項９に記載の手当用品。
【請求項１１】
前記手当用品層から延び、前記第１の接着剤層および第２の接着剤層のどちらもないプルタブをさらに含む請求項９に記載の手当用品。
【請求項１２】
前記手当用品層は、前記折り重ねられた構成である場合、前記下面だけが露出されるように、半分に折り重ねられるように構成される請求項９に記載の手当用品。
【請求項１３】
前記第１の接着剤層は、前記カテーテル固定用手当用品を患者の皮膚に接着させるように構成され、前記第２の接着剤層は、前記折り重ねられた構成で前記手当用品層を固定するように構成される請求項１２に記載の手当用品。
【請求項１４】
前記第１の接着剤層および前記第２の接着剤層の少なくとも一方は、抗菌剤を含む請求項９に記載の手当用品。
【発明の詳細な説明】
【技術分野】
【０００１】
本開示は、全体として、静脈内カテーテルに関する。より詳細には、本開示は、静脈内カテーテルを患者に滅菌状態で固定することを可能にするための滅菌静脈内カテーテル固定用手当用品の様々な使用方法およびシステムについて述べる。
【背景技術】
【０００２】
一般に、血管用接続装置が、患者の血管系と流体を連通させるために使用される。たとえば、カテーテルが、流体（たとえば、食塩水、医薬品、および／または完全非経口栄養）を患者内へ注入し、患者から流体（たとえば、血液）を抜き出し、および／または、患者の血管系の様々なパラメータを監視するために使用される。
【０００３】
静脈内（ＩＶ）カテーテルアセンブリは、様々なタイプの血管接続装置のうちの１つである。留置針末梢ＩＶカテーテルは、一般的なＩＶカテーテル構成である。その名が示唆するように、留置針カテーテルは、鋭利な末端先端部を有する導入針を覆って取り付けられる。導入針は一般に、針の案内を助けてカテーテルとの連係を容易にする針アセンブリに結合される静脈穿刺針である。少なくとも、カテーテルの末端部分の内面は、針の外面にしっかりと係合して、カテーテルが外れるのを防止し、それによって血管内へのカテーテルの挿入を容易にする。カテーテルと導入針は、導入針の鋭利な末端先端部がカテーテルの末端先端部を越えて延びるように組み立てられることが多い。さらに、カテーテルと針とは、挿入中に針の先端が患者の皮膚から離れる方へ上向きになるように組み立てられることが多い。カテーテルおよび導入針は、一般に、患者の皮膚を通って血管内へ浅い角度で挿入される。
【０００４】
カテーテル挿入後、静脈内カテーテルアセンブリは、患者に固定され、カテーテルアセンブリが早い段階で、および／または、意図しないで取り外されるのを防止する。カテーテル部位への露出を制限し、カテーテルアセンブリを汚染物質および不注意の移動または撤去からさらに保護するために包帯剤が、付けられることが多い。場合によっては、臨床医は、包帯剤および接着ストリップを準備してカテーテルアセンブリに付ける一方、挿入されたカテーテルアセンブリを指の圧力によって所定位置で保持する。通常、このプロセスでは臨床医の両手を使う必要があり、したがって、臨床医は、一般に、カテーテルアセンブリを患者内へ挿入する前に包帯剤および接着ストリップを準備する。この場合、カテーテルアセンブリを固定しようとする間に包帯剤および接着ストリップを一時的な場所に配置する必要がある。
【発明の概要】
【発明が解決しようとする課題】
【０００５】
こうして一時的な場所に配置することで、感染性物質が包帯剤および接着ストリップからカテーテルアセンブリおよびカテーテル挿入部位に接触するさらなる可能性がもたらされる虞がある。他の場合、第１の臨床医が、患者にカテーテルを挿入する一方、第２の臨床医が、包帯剤および接着ストリップを準備および貼付して、挿入されたカテーテルアセンブリを固定する。この場合、感染の危険性は、低くなるが、カテーテルを配置するのに必要な資源および労力が大幅に増大する。したがって、挿入されたカテーテルアセンブリを患者に固定するプロセスは、時間がかかり、煩雑であり、場合によっては、必要以上の感染の危険性が加わる。
【課題を解決するための手段】
【０００６】
本開示は、概して、患者内でより簡単、より効果的、かつより少ない危険性の静脈内カテーテルの配置および固定を提供する滅菌静脈内カテーテル固定具および固定用手当用品に関する。より具体的には、本開示は、静脈内カテーテルの滅菌固定具および固定用手当用品を使用して静脈内カテーテルを患者に滅菌状態で容易かつ効率的に固定することを可能にする様々な方法およびシステムについて述べる。
【０００７】
いくつかの例示的なカテーテル固定用手当用品は、上部および進入口を含む下部を含む本体と、カテーテル固定用手当用品を皮膚に接着させるように構成された第１の接着剤層と、上部を下部に接着させるように構成された第２の接着剤層とを含むことができる。手当用品は、また、第１の接着剤層および第２の接着剤層の少なくとも１つを覆う剥離裏地を含むことができる。剥離裏地は、本体から延びるリリースタブおよびプルタブを含むことができ、プルタブには、第１の接着剤層と第２の接着剤層のどちらもない。
【０００８】
いくつかの実施例では、第１の接着剤層は、下部の表面に位置することができ、第２の接着剤層は、上部の表面に位置することができる。手当用品は、また、折り線を含むことができる。第１の接着剤層および第２の接着剤層のうちの少なくとも一方は、抗菌剤を含むことができる。他の実施例では、手当用品は、半分に折り重ねられるように構成することができ、それにより、折り重ねたられた構成であるとき、下面だけが露出されるようになる。そのような実施例では、第１の接着剤層は、カテーテル固定用手当用品を患者の皮膚に接着させるように構成され、第２の接着剤層は、折り重ねられた構成で手当用品層を固定するように構成することができる。
【０００９】
例示的なカテーテル固定用手当用品を付ける例示的な方法は、患者の皮膚で所望のカテーテル部位にカテーテル固定具を取り付け、所望のカテーテル部位内にカテーテルデバイスを配置し、カテーテル固定具を折り重ね所望のカテーテル部位にカテーテル装置を固定することとを含むことができる。例示的な方法は、また、カテーテル固定用手当用品を折り重ねる前に剥離裏地を取り外すことを含むことができ、剥離裏地は、剥離裏地を取り外す前に接着剤層を覆っている。いくつかの方法では、カテーテル装置の少なくとも一部分は、折り重ねられた後、カテーテル固定用手当用品の２層相互間に固定することができる。同様に、カテーテル装置の配置は、固定用手当用品内の進入口によって行うことができる。
【００１０】
開示の実施例の上述ならびにその他の特徴および利点が得られる方法が容易に理解されるように、上述で簡単に説明したシステムおよび方法のより具体的な説明について、添付の図面に示すその特有の実施例を参照しながら述べる。これらの図面は、単に代表的な実施例を示し、したがって、その範囲を限定すると見なされるべきではないことが理解される。開示のシステムおよび方法の例示的な実施例が、添付の図面を使用することによって、さらに具体的かつ詳細に以下に述べられ説明される。
【図面の簡単な説明】
【００１１】
【図１】例示のカテーテル固定用手当用品の斜視図である。
【図２】図１におけるカテーテル固定用手当用品の上面図である。
【図３】図１におけるカテーテル固定用手当用品の側面図である。
【図４】例示の包装したカテーテル固定用手当用品の上面図である。
【図５】静脈内カテーテルおよびカテーテル固定用手当用品の貼付の連続段階で患者の手の上に配置された図１におけるカテーテル固定用手当用品の上面図である。
【図６】静脈内カテーテルおよびカテーテル固定用手当用品の貼付の連続段階で患者の手の上に配置された図１におけるカテーテル固定用手当用品の上面図である。
【図７】静脈内カテーテルおよびカテーテル固定用手当用品の貼付の連続段階で患者の手の上に配置された図１におけるカテーテル固定用手当用品の上面図である。
【図８】静脈内カテーテルおよびカテーテル固定用手当用品の貼付の連続段階で患者の手の上に配置された図１におけるカテーテル固定用手当用品の上面図である。
【図９】静脈内カテーテルおよびカテーテル固定用手当用品の貼付の連続段階で患者の手の上に配置された図１におけるカテーテル固定用手当用品の上面図である。
【図１０】例示のカテーテルの固定具の斜視図である。
【図１１】貼付の連続段階における例示のカテーテルの固定具の斜視図である。
【図１２】貼付の連続段階における例示のカテーテルの固定具の斜視図である。
【図１３】連続する貼付段階における例示的なカテーテルの固定具の斜視図である。
【発明を実施するための形態】
【００１２】
複数の図は、後述するように、例示のカテーテルの固定用手当用品の具体的な一面、ならびに、そのような装置を製造および使用する方法を示す。以下の説明とともに、複数の図は、その構造、方法の原理、この中で説明される理念を例証し、説明する。図面では、見やすいように、構成要素の厚さおよび寸法が、誇張、あるいは、他の方法で変更されることがある。異なる図面における同一の参照数字は、同一の要素を表し、したがって、それらの説明は、繰り返されない。さらに、よく知られている構造、材料、または動作については、説明される装置のはっきりしない一面を回避するために図示されず、または詳細に説明されない。さらに、複数の図は、略図または部分図を示すことがあり、複数の図における要素の寸法は、明瞭さおよび取扱説明のために、誇張され、または、原寸に比例しないことがある。
【００１３】
以下の説明は、完璧な理解をもたらすように、具体的な詳細を与える。それにもかかわらず、説明されるカテーテル固定用手当用品、および、それらを製造および使用する方法は、これらの具体的な詳細を用いなくても実施および使用できるということは、当業者が理解されるはずである。実際には、カテーテル固定用手当用品および対応付けられた方法は、説明される装置および方法を変更することによって実施に置かれることができ、当業界で従来から使用されているいずれかの他の装置および技術と組み合わせて使用することができる。
【００１４】
全体として、本開示は、カテーテル挿入後、カテーテルアセンブリを患者に固定するためのシステムおよび方法に関する。場合によっては、カテーテル固定具は、カテーテル挿入後、カテーテルアセンブリの位置を維持するように位置決めされ構成される１以上の接着部分を含むことができる。カテーテル固定具および固定用手当用品におけるいくつかの実施例は、接着部分により、患者に固定することができ、それから、カテーテルアセンブリが患者に配置可能とされる。いくつかの実施例では、カテーテルアセンブリは、カテーテル固定用手当用品の進入口を介して配置可能とされる。カテーテルアセンブリの配置のとき、接着部分における他の部分を覆い保護する剥離裏地は、接着部分を露呈するように、除去され得る。複数の接着部分は、カテーテル挿入部位における感染の危険性を低下させることに役立つ抗菌剤を含むことができる。それから、カテーテル固定具または固定用手当用品の一部分は、カテーテルアセンブリを患者に固定するように、それ自体に折り重ねられることにより、それ自身に接着され、カテーテルアセンブリの一部分に接着される。カテーテル固定具および固定用手当用品は、カテーテルアセンブリを患者に付ける臨床医が、カテーテルアセンブリを容易に固定するように構成され、いくつかの実施例では、付加的な物質を必要とすることなく、滅菌用手当用品をもたらす。
【００１５】
ここで図１〜図３を参照すると、カテーテル固定用手当用品１００が、示されている。
以下でより詳細にさらに説明するように、カテーテル固定用手当用品１００は、折り線１１８を中心として折り重ね可能な上部１３０および下部１２０を有する手当用品本体１１０を含むことができる。下部１２０は、患者の皮膚に接触し接着するための下部１２０の接触面に接着剤層１１４を含むことができる。カテーテル固定用手当用品１００が折り線１１８を中心に所定位置に折り重ねられる場合、上部１３０は、下部１２０の上面と上部１３０の接着剤層１１６との間に接着をもたらすように、接着剤層１１４に対し本体１１０における対向する面に、接着剤層１１６を含むことができる。剥離裏地１４０は、以下でさらに詳細に説明するように、カテーテルのところが、その最終の位置へ折り重ねられる固定用手当用品１００の準備が整うまで不注意および時期尚早な接触から接着剤層１１６を保護するように設けられ得る。
【００１６】
また、下部１２０は、カテーテルの配置のための窓をもたらすように、進入口１２２を含むことができる。進入口１２２は、各側面が囲まれた窓とすることができ、または、カテーテルの配置のところに近づけるように下部１２０にスリット、即ち、帯状の開口とすることができる。同様に、進入口１２２は、複数の図に示されるように、長方形のようないずれかの適した形状または所望の形状であってもよく、または、正方形、三角形、もしくは他の多角形の形状、下部１２０が患者に固定される場合、カテーテルを静脈内カテーテルのところに近づけるために適した楕円形、心臓形、レンズ形、もしくは他の湾曲した形状であってもよい。。
【００１７】
上部１３０は、下部１２０に接触するように折り線１１８を中心として上部１３０を折り重ね下部１２０に接触させるように把持部をもたらすためのクローズタブ（close tab）１３２を含むことができる。クローズタブ１３２は、装置を使用する臨床医に直感的にカテーテル固定用手当用品１００を折り重ねさせるように形成され得る。また、剥離裏地１４０が、不注意に時期尚早な接触から接着剤層１１６を保護するために上部１３０にを含まれ得る。剥離裏地１４０は、臨床医がカテーテル固定用手当用品１００を所定位置へ折り重ねる準備ができた場合、剥離裏地１４０を取り外すのに役立つリリースタブ１４２をさらに含むことができる。いくつかの実施例では、使用前に下部１２０における接着剤層１１４を保護するために第２の剥離裏地が、設けられてもよい。そのようなものとして、剥離裏地は、患者に固定する前に接着特性および滅菌を維持するためにいずれの接着部分に配置され得る。いくつかの実施例では、接着剤層１１６および剥離裏地１４０は、上部１３０の代わりに、または上部１３０に加えて、下部１２０の上面を覆うこともできる。
【００１８】
接着剤層１１４、１１６は、論述された方法および実施例とともに使用するのに適した如何なる型式または種類の接着剤を含むことができる。たとえば、接着剤層１１４、１１６は、スプレー式の接着剤、接着フィルム、またはいずれかの他の型式の粘着物とすることができる。さらに、いくつかの実施例では、接着剤層１１４、１１６は、ポリマーを基剤とした感圧接着剤から作られ、または、含むことができる。たとえば、ポリマーを基剤とした感圧接着剤が、接着剤層１１４内で使用される場合、結合が、下部１２０と皮膚との間に軽い圧力を加えることによって、接着剤層１１４と患者の皮膚との間に形成され得る。接着剤層１１４は、皮膚との結合を容易にするわずかな液体の担体をさらに含むことができる。場合によっては、接着剤層１１４は、一旦、皮膚から取り外されたならばその接着性を失う使い捨ての接着剤を含み得る。また、いくつかの実施例では、接着剤層１１４、１１６は、滅菌した静脈内挿入部位を維持するうえで役立つ抗菌剤を含むことができる。
【００１９】
他の場合、接着剤層１１４、１１６は、何度も使用できる接着剤から作ることができ、または、含むことができその接着剤により、手当用品が繰り返し付けられることを可能にすることができる。たとえば、接着剤層１１６または接着剤層１１４のための何度も使用できる接着剤は、固定後のカテーテル位置の後の検査もしくは調整、またはその両方を可能にすることが所望されることがある。これは、カテーテルの先端部が静脈内で閉塞し、それによって開通性を回復するようにわずかに移動せしめられるカテーテルを必要とする状況について所望されることがある。また、これは、カテーテルの配置、またはカテーテル固定用手当用品１００の配置が患者にとって不快になった場合、所望される特徴となることがある。
【００２０】
いくつかの実施例では、接着剤層１１６は、上部１３０が下部１２０の上へ折り重ねられた場合、接着剤が接触して結合するように、下部１２０の上面のすべてまたは一部を覆うことができる相性がよい接着剤に接触し配置された場合にだけ接着するコンタクト型接着剤を含むことができる。そのような実施例では、剥離裏地１４０は、必要とされない。いくつかの実施例では、接着剤１１４、１１６は、カテーテルアダプタと患者の皮膚との間、および下部１２０と上部１３０との間で所望の固定をもたらすように必要ないずれかの形状、パターン、寸法、および／または、構成で形成され得る。
【００２１】
剥離裏地１４０は、剥離裏地１４０と接着剤層１１６との間の一時的な結合を可能にするいずれかの物質または物質の組合せを含むことができ、剥離裏地１４０を接着剤層１１６から取り外すとき、接着剤は、そのまま残される。剥離裏地１４０のために適合している物質の非限定的な例は、プラスチック膜、紙、プラスチック、金属箔、プラスチックで被覆された紙、ワックスで被覆された紙、ワックスで被覆されたプラスチック、プラスチックで被覆された箔、およびワックスで被覆された箔を含むことができる。同様に、剥離裏地１４０は、剥離剤、抗菌剤、またはその両方により、被覆され、含浸され、または積層され得る。いくつかの実施例では、接着剤層１１６に接触する剥離裏地の一部分のみが、剥離特性または剥離剤を有するものでもよく、他の実施例では、剥離裏地１４０は、同様に一貫製造できる。
【００２２】
図３に最もよく示すように、本体１１０は、手当用品層１１２が上部１２０および下部１３０全体にわたって延びる状態で、形成され得る。手当用品層１１２は、カテーテル挿入部位に使用するためのいずれかの適した手当用包帯剤または創傷管理用材料から作られ得る。たとえば、手当用品層１１２は、透過性のポリウレタンの包帯剤、ガーゼの包帯剤、湿気反応性の包帯剤、または静脈内部位の包帯剤に適したいずれかの他の材料を使用して形成され得る。また、本体１１０は、抗菌剤を含むことができ、または抗菌性の膜を有することができる。本体１１０は、静脈内カテーテルの包帯剤および固定具として使用するのに適したいずれかの厚さを有することができる。折り線１１８は、接着剤層１１４の端部によって設定され、または、本体１１０もしくは手当用品層１１２においてより薄い線、ミシン目の線、もしくは他の方法で弱くした線として勧められ得る。
【００２３】
ここで図４を参照すると、カテーテル固定用手当用品１００は、滅菌封止パッケージ１０内に設けられ得る。いくつかの実施例では、封止パッケージ１０は、カテーテル固定用手当用品１００が封止パッケージ１０から取り外される場合、接着剤層１１４が露出され、患者の皮膚にすぐに配置する準備ができるように、接着剤層１１４のための剥離裏地の役割を果たすことができる。他の実施例では、上述したように、接着剤層１１４は、封止パッケージ１０から取り外した後、患者の皮膚に付ける前に、取り外す必要がある剥離裏地で覆われ得る。封止パッケージ１０は、現在そのように使用されている多くの異なる様々な医療品のような、滅菌医療品とともに使用するのに適したいずれかのパッケージングとすることができる。
【００２４】
図５〜図９を次に参照すると、カテーテル固定用手当用品１００は、カテーテル装置２０の挿入に備えて、患者３０の皮膚に付けることができる。いくつかの実施例では、カテーテル固定用手当用品１００を付けることは、臨床医により、カテーテル部位を清浄にして準備することを含むことができる。患者３０の部位が準備されたならば、カテーテル固定用手当用品１００が、封止パッケージ１０から取り外され得る。図５に示すように、封止パッケージ１０から取り外されたならば、カテーテル固定用手当用品１００は、進入口１２２が患者３０のカテーテル部位の中央に位置決めされるように、カテーテル部位に位置決めされ得る。それから、接着剤層１１４が下部１２０を患者３０の皮膚に取り付けるように、下部１２０が患者３０の皮膚に押し付けられ得る。別個の剥離裏地が接着剤層１１４とともに含まれる実施例においては、剥離裏地は、所望のカテーテル部位に進入用窓を配置する前に取り外され得る。
【００２５】
図６に示すように、カテーテル固定用手当用品１００が所定位置であるならば、臨床医は、下部１２０の進入口１２２を介してカテーテル装置２０を患者３０内へ挿入することができる。カテーテル固定用手当用品１００が最終の位置にあり、カテーテル装置２０を覆うならば、管２２は、カテーテル装置２０に流体を通じさせるように下部１２０の外縁部から離れる方向に延ばされ得る。図７に示すように、カテーテル装置２０が配置されたならば、剥離裏地１４０が、接着剤層１１６を露出させるように取り外され得る。剥離裏地１４０は、リリースタブ１４２を引くことによって取り外すことができる。剥離裏地１４０は、廃棄することができる。
【００２６】
図８および図９に示すように、クローズタブ１３２は、接着剤層１１６がないようにすることができ、臨床医は、折り線１１８を中心としてそれを下部１２０の上へ折り重ねるようにクローズタブ１３２を把持して上部１３０を引くことが可能になる。接着剤層１１６は、下部１２０の表面とカテーテル装置２０および管２２の一部分とを接触させることができ、それによって折り重ねた構成で上部１３０を下部１２０に接着させるとともに、上部１３０と下部１２０との間で患者３０の皮膚に対して所定位置にカテーテル装置２０を固定することができる。
【００２７】
図１０〜図１３は、カテーテル固定具２００の他の実施例を示す。カテーテル固定具２００は、下部２２０および上部２３０と一緒に、本体２１０を含むことができる。上部２３０は、以下でより詳細にさらに説明するように、上部２３０を第１の接着ストリップ２３６と第２の接着ストリップ２３８とに分割するための分離線２１８を含むことができる。下部２２０は、患者の皮膚に接触および接着するための下部２２０の接触面に、接着剤層を含むことができる。上部２３０は、所定位置となったならば、接着ストリップ２３６、２３８による接着をもたらすように、下部２２０における接着層に対し本体２１０における向かい合う面に接着層２１６を含み得る。以下でさらに詳細に説明するように、カテーテル部位は、カテーテル固定具２００がその最終の位置へ折り重ねられる準備が整うまで不注意に時期尚早の接触から接着剤層２１６を保護するために剥離裏地２４０が、設けられ得る。
【００２８】
また、下部２２０は、上部２３０の接着ストリップ２３６、２３８が、カテーテル装置２０を容易に収容することができるように、カテーテルの配置用窓をもたらすように開口２２２を含み得る。いくつかの実施例では、進入口２２２は、各側面に囲まれる窓とすることができ、または、カテーテル配置部位に近づけるように下部２２０におけるスリット、もしくは、帯状の開口とすることができる。同様に、進入口２２２は、長方形、もしくは正方形、三角形、もしくは他の多角形の形状のようないずれかの適したもしくは所望の形状とすることができ、または、カテーテル固定具２００が患者に固定された場合、静脈内カテーテル部位への取り付けに適した楕円形、心臓形、レンズ形、もしくは他の湾曲した形状であってもよい。
【００２９】
上部２３０は、カテーテル装置２０を固定するように上部２３０の接着ストリップ２３６、２３８を折り重ねるために把持部をもたらすためのクローズタブ２３２を含むことができる。クローズタブ２３２は、その装置を使用する臨床医が直感的にカテーテル固定具２００を折り重ねさせるように形成され得る。また、剥離裏地２４０が、接着剤層２１６を不注意に時期尚早な接触から保護するために、上部２３０上に含まれ得る。剥離裏地２４０は、臨床医がカテーテル固定具２００を所定位置へ折り重ねる備えができた場合、剥離裏地２４０を取り外す助けとなるようにリリースタブ２４２をさらに含むことができる。いくつかの実施例では、第２の剥離裏地が、使用前に下部２２０上の接着剤層を保護するために設けられ得る。そのようにして、剥離裏地が、患者に固定する前に接着性および滅菌を維持するために、いずれかの接着部分に配置可能とされる。いくつかの実施例では、剥離裏地２４０は、上部２３０を接着ストリップ２３６および２３８に分離する前、取り外され、または、接着ストリップ２３６、２３８を分離した後、剥離裏地２４０の分かれる部分２４６、２４８が、個々に取り外され得る。
【００３０】
図１１〜図１３に示すように、カテーテル固定具２００は、カテーテル装置２０の挿入に備えて、患者の皮膚に付けることができる。いくつかの実施例では、カテーテル固定具２００を付けることは、臨床医により、カテーテル部位を清浄にし準備することを含むことができる。患者の部位が準備されたならば、カテーテル固定具２００は封止パッケージから取り外され得る。封止パッケージから取り外されたならば、カテーテル装置２０を固定具２００によって固定でき、カテーテル部位に近づけるように、カテーテル固定具２００は患者のカテーテル部位の上に位置決めされ得る。それから、下部２２０は、接着剤層が下部２２０を患者の皮膚に取り付けるように、患者の皮膚に押し付けられ得る。下部２００における接着剤層とともに別個の剥離裏地が含まれる実施例では、剥離裏地は、所望のカテーテル部位に配置する前、取り外すことができる。
【００３１】
カテーテル固定具２００が所定位置にあるならば、臨床医は、カテーテル装置２０を患者内へ挿入することができる。カテーテル固定具２００が最終の配置にありカテーテル装置２０を覆ったならば、管２２はカテーテル装置２０から離れる方向に延ばすことができる。図１２に示すように、カテーテル装置２０が配置されたならば、接着剤層２１６を露出させるように、剥離裏地２４０、または剥離裏地２４０の部分２４６、２４８が、取り外され得る。剥離裏地２４０は、リリースタブ２４２を引くことによって取り外すことができる。剥離裏地２４０は、廃棄することができる。
【００３２】
クローズタブ２３２は、接着剤層２１６がないようにすることができ、それによって、接着用帯状片が、カテーテル装置２０の一部分に折り重さなり上部２３０と下部２２０との間で患者の皮膚に対して所定位置にカテーテル装置２０を固定するように、臨床医は、クローズタブ２３２を把持し、上部２３０の接着用帯状片２３６、２３８を引くことが可能になる。接着用帯状片２３６、２３８は、図１３に示すように、カテーテル装置２０を横切ることができ、または固定具２００およびカテーテル装置２０を付ける臨床医により所望される場合、カテーテル装置２０のいずれかの部分の上で固定することができる。
【００３３】
前述の変更に加えて、この説明の精神および範囲から逸脱することなく、多数の他の変形例および代替的な構成が、当業者により、考え出され得るものであり、添付の請求の範囲は、そのような変更および構成を包含することが意図される。したがって、現時点で最も実用的かつ好ましい一面と考えられるものに関連する情報について、具体的かつ詳細に上述で説明したが、本明細書に記載の原理および概念から逸脱することなく、それだけに限定されるものではないが形態、機能、動作方法、および用途を含めて、多数の変更を加えることができることが、当業者には明らかであろう。また、本明細書で使用されたように、例および実施例は、あらゆる点で、例証のみを目的とすることを意味し、いかなる方法でも限定的と解釈されるべきではない。
【図１】
0006294234.tif 000002
【図２】
0006294234.tif 000003
【図３】
0006294234.tif 000004
【図４】
0006294234.tif 000005
【図５】
0006294234.tif 000006
【図６】
0006294234.tif 000007
【図７】
0006294234.tif 000008
【図８】
0006294234.tif 000009
【図９】
0006294234.tif 000010
【図１０】
0006294234.tif 000011
【図１１】
0006294234.tif 000012
【図１２】
0006294234.tif 000013
【図１３】
0006294234.tif 000014